(57)【要約】      （修正有）【課題】空間を一時的に仕切ったり視線を遮蔽したりするのに好適で、張設位置の変更も簡単かつ迅速に行うことができる区画用ベルト装置を提供する。【解決手段】長尺帯状のベルト２の両端に巻回機構部がそれぞれ設けられ、各巻回機構部は、スリット状のベルト引出口が設けられた略円筒状のケース４にそれぞれ収納される。各ケース４の外側には、フック９５等からなる掛着手段が設けられ、それぞれのケース４を、壁面や柱など適宜の掛止対象物に設けた被掛止部材１０に掛着するか、または掛止対象物の棒状部分１１に巻き回したベルト２自体にケース４を掛着することにより、さまざまな場所にベルト２を張設することができる。【選択図】図３
0003198594.tif 000002
【実用新案登録請求の範囲】
【請求項１】
長尺帯状のベルトの両端に、ベルトを引き出し、かつ巻き取りうる巻回機構部がそれぞれ設けられ、
各巻回機構部は、スリット状のベルト引出口が設けられた略円筒状のケースにそれぞれ収納され、
前記各ケースの外側に、前記ベルト自体または適宜の掛止対象物に掛着可能な掛着手段がそれぞれ設けられたことを特徴とする区画用ベルト装置。
【請求項２】
請求項１に記載された区画用ベルト装置において、
前記掛着手段は、ケースの両端部から中間部に向けて、ケースの軸心と平行にそれぞれ延出された一対のフックを具備することを特徴とする区画用ベルト装置。
【考案の詳細な説明】
【技術分野】
【０００１】
本考案は、空間を簡易的に仕切ったり、視線を遮蔽したりするための区画用ベルト装置に関する。
【背景技術】
【０００２】
不特定多数の人々が利用する商業施設、公共施設等においては、立入りを規制する場所や行列を整理する必要がある場所に複数本の支柱を載置し、それらの支柱間にベルトやロープを張り渡して、通路等を区画することが行われている。そのような目的に利用されるベルト装置として、自立式の支柱の頂部近傍に数ｍ程度のベルトを巻き込んで収納し、必要に応じてそのベルトを側方に引き出して他の支柱に係止する、ベルトインポール式のベルト装置（「ベルトパーティションスタンド」等とも称される。）が広く普及している（例えば、特許文献１）。
【０００３】
また、飲食店やイベント会場等において、その利用態様に応じて空間を一時的に仕切りたい場合、床の上に自立式の衝立（パーティションパネル）を載置したり、天井から幕材を吊り下げたりすることが行われている。幕材を吊り下げる装置としては、ケース内に幕材を巻き込んで収納し、そのケースを天井等に取り付けて、ケースから引き出した幕材を床面付近に係止する方式の、いわゆるロールスクリーンが一般的である（例えば、特許文献２）。
【先行技術文献】
【特許文献】
【０００４】
【特許文献１】特開２０１１−１２２３１５号公報
【特許文献２】特開平６−１２９１７８号公報
【考案の概要】
【考案が解決しようとする課題】
【０００５】
従来の一般的なベルトインポール式のベルト装置は、ベルトを張設することのできる位置が、支柱を安定的に載置できる床面上に限られる。また、ベルトの高さも支柱の高さによって決まってしまう。そのため、設置場所の利用状況等に応じてベルトの位置や高さを柔軟に変更するのが難しい。
【０００６】
ロールスクリーンも、幕材を収納したケースを天井その他の高所にしっかりと固定する必要があるので、やはり状況に応じて幕材の位置を柔軟に変更するのは難しく、仮設的な設置には不向きである。
【０００７】
本考案は、例えば飲食店の客席空間やイベント会場等において、その空間を利用状況等に応じて一時的に仕切ったり視線を遮蔽したりするのに好適であり、張設位置の変更も簡単かつ迅速に行うことができるような区画用ベルト装置を提供するものである。
【課題を解決するための手段】
【０００８】
本考案の区画用ベルト装置は、長尺帯状のベルトの両端に、ベルトを引き出し、かつ巻き取りうる巻回機構部がそれぞれ設けられ、各巻回機構部は、スリット状のベルト引出口が設けられた略円筒状のケースにそれぞれ収納され、前記各ケースの外側に、前記ベルト自体または適宜の掛止対象物に掛着可能な掛着手段がそれぞれ設けられたことを特徴とするものである。
【０００９】
さらに、本考案の区画用ベルト装置は、前記掛着手段が、ケースの両端部から中間部に向けて、ケースの軸心と平行にそれぞれ延出された一対のフックを具備することを特徴とするものである。
【考案の効果】
【００１０】
前述のように構成される本考案の区画用ベルト装置は、ベルトを出し入れ自在に巻き取るケースがベルトの両端に取り付けられており、それぞれのケースを、壁面や柱など適宜の掛止対象物に設けた被掛止部材に掛着するか、または柱その他、掛止対象物の棒状部分に巻き回したベルト自体にケースを掛着することにより、さまざまな場所にベルトを張設することができる。ベルトを張設する方向は縦横を問わず、両端の掛着形態が同じである必要もない。適宜の２点間にベルトを張設するに際し、ベルトは両端どちらから先に固定してもよいし、いったん張設したベルトは、両端どちらからでも容易に移動することができる。したがって、設置場所の形態に応じて臨機応変にベルトを張設し、さらに利用状況に応じて柔軟に付替えを行うことができる。
【００１１】
また、ベルトが両端のケースに巻き取られるので、ベルトの全長が長くても、各ケースの巻取径を小さくして、装置全体をコンパクト化することができる。
【００１２】
さらに、ケースに設ける掛着手段を、ケースの両端部から中間部に向けてケースの軸心と平行にそれぞれ延出させた一対のフックとすれば、ベルトの幅を太くしても、ケースを安定的に、ベルト自体または掛止対象物に掛着することができる。これにより、ベルトを、例えば視線を遮蔽するためのブラインドやパーティションとして利用したり、あるいは映像を投影するためのスクリーンとして利用したりするなど、幅広い用途に活用することができる。
【図面の簡単な説明】
【００１３】
【図１】本考案の実施形態にかかる区画用ベルト装置の正面図兼片側のケースの縦断面図である。
【図２】前記区画用ベルト装置のケースの内部構造を示す分解斜視図である。
【図３】前記区画用ベルト装置の使用態様を示す斜視図である。
【考案を実施するための形態】
【００１４】
以下、本考案にかかる区画用ベルト装置の好ましい実施の形態について、図面を参照しつつ説明する。
【００１５】
区画用ベルト装置１は、長尺帯状のベルト２の両端に、ベルト２を巻き取り、かつ引き出しうる巻回機構部３をそれぞれ具備し、その巻回機構部３が、略円筒状のケース４に収納された構成を有している。ベルト２には、例えば合成繊維製の織布や合成樹脂製シートなど、薄くて柔軟な帯状材料が、利用目的に応じて適宜選択される。
【００１６】
ベルト２の両端に設けられる巻回機構部３は、ベルト２を巻き取るリール５と、リール５を巻取方向に回転させる付勢手段とを具備する。リール５は、円筒状のベルト巻取部５１と、ベルト２の幅に合わせてベルト巻取部５１の両端近傍から円盤状に張り出す一対のフランジ５２とを有しており、ベルト巻取部５１にベルト２の片端が適宜の手段を用いて固着されている。付勢手段は、例示形態ではリール５の両端に取り付けられた一対のゼンマイバネ（渦巻バネ）６によって構成される。ゼンマイバネ６は、巻回らせん状のバネ体であり、例えば中心側の端部が回転して巻き締められると、巻き戻ろうとするように形成されている。このゼンマイバネ６が、その中心側の端部をリール５の軸端部５３に形成されたバネ係止溝５４に係止させた状態で、ケース４内に保持される。
【００１７】
例示のケース４は、両端が開口した長円筒状の外装筒体７と、外装筒体７の両端に嵌装される内キャップ８および外キャップ９を備えている。外装筒体７の外周面には、スリット状のベルト引出口７１が形成されている。ベルト引出口７１は、ベルト２の幅よりも僅かに長く、ベルト２の厚さよりも僅かに広い開口幅で、外装筒体７の軸心と平行に延びるように形成されている。リール５に巻き取られたベルト２は、このベルト引出口７１を通じて引き出される。
【００１８】
内キャップ８は、片端が内底部８１によって塞がれた略短円筒状の部材で、外装筒体７の両端開口の内側に嵌装される。内キャップ８の周部８２にはスリット状のバネ係止部８３が形成され、このバネ係止部８３にゼンマイバネ６の外側の端部が係止される。内底部８１の中心部には環状凸部８４が形成され、その環状凸部８４に形成された軸孔８５にリール５の軸端部５３が挿入されて、リール５が回転自在に保持される。
【００１９】
外キャップ９は、片端が外底部９１によって塞がれた略短円筒状の部材で、内キャップ８に重ねて外装筒体７の両端開口の外側に嵌装される。外底部９１の内側中心部には環状凹部９２が形成されており、この環状凹部９２に内キャップ８の環状凸部８４が嵌め込まれて、内キャップ８と外キャップ９とが一体化される。外キャップ９の周部９３の内側には係止爪９４が形成されており、この係止爪９４が、外装筒体７に形成された爪孔７２に係止される。
【００２０】
このような構成により、リール５およびゼンマイバネ６を具備する巻回機構部３がケース４内に収納され、ベルト２を巻き付けたリール５が、そのケース４内で回転自在に保持される。そして、ケース４からベルト２が引き出されると、リール５と一緒にゼンマイバネ６が回転して、リール５にベルト２を巻き戻す方向の回転力が付勢される。
【００２１】
本考案に係る区画用ベルト装置１の要部は、ケース４の外側に、このケース４をベルト２または適宜の掛止対象物に掛着可能な掛着手段がそれぞれ設けられた点にある。例示形態における掛着手段は、ケース４の両端部に設けられた一対のフック９５によって構成されている。
【００２２】
フック９５は、ケース４の両端を塞ぐ外キャップ９の一部をベルト引出口７１の反対側に突き出して、その先端からケース４の中間部に向け、ケース４の軸心と平行に延出するように形成されている。各フック９５の長さはケース４の全長の１／５ないし１／３程度、フック９５の横断面形状は略円形、略楕円形または角丸多角形等で、外装筒体７の外周面とフック９５との間には、ベルト２を通すために数ｍｍ程度の間隔が設けられている。
【００２３】
このように構成される区画用ベルト装置１は、例えば図３の右部に示すように、壁面や柱など適宜の掛止対象物（図示せず）に取り付けた被掛止部材１０に掛着して設置することができる。例示の被掛止部材１０は、例えば上下の側面を一部切り欠いた筒状体１０１に長矩形の平坦な取付板１０２を接合した金具で、筒状体１０１の上下にケース４のフック９５を側方から掛着できるように形成されている。ただし、被掛止部材は例示形態に限られず、フック９５の形状や取付部位等に応じて適宜設計されればよい。あるいは、壁面や柱に設けた適宜の凹凸部、溝部、孔部等を被掛止部材として利用することもできる。
【００２４】
また、例えば図３の左部に示すように、柱、ポールスタンド、家具什器の一部等、掛止対象物の棒状部分１１にベルト２を巻き回し、そのベルト２にケース４のフック９５を掛着してケース４を固定することもできる。この場合、ベルト２は、棒状部分１１の太さに関わらず、棒状部分１１の長さ方向における任意の位置に巻き回して設置することができる。
【００２５】
ベルト２を張設する方向は縦横を問わず、また、ベルト２の両端の掛着態様が同じである必要はない。ベルト２には常に、両端の巻回機構部３によって巻取方向の張力がバランスよく働くので、両端のケース４が適宜の掛止対象物に固定されている間はベルト２が弛むこともない。さらに、適宜の２点間にベルト２を張設するに際して、両端のケース４はどちらから先に固定してもよいし、いったん固定したケース４は両端どちらから移動することもできる。
【００２６】
さらに、この区画用ベルト装置１は、ケース４の両端部からケース４の軸心と平行に適宜長さのフック９５を延出させることによって、幅広のベルト２への掛着を容易にしている。したがって、立入りの規制や行列の整理だけでなく、例えば飲食店の客席空間やカウンター正面、イベント会場等において、その空間を幅広のベルト２を用いて一時的に仕切ったり視線を遮蔽したりする、といった活用も可能になる。また、映像を投影するためのスクリーンとしてイベントや広告に利用するなど、さらに用途を拡張することもできる。
【００２７】
なお、本考案の技術的範囲は、前述の実施形態によって限定的に解釈されるべきものではなく、実用新案登録請求の範囲の記載に基づいて概念的に解釈されるべきものであって、例えば、ケースや掛着手段の詳細な構造、ゼンマイバネに替わるベルトの付勢手段等を部分的に改変した構成も本考案の技術的範囲に包含される。
【符号の説明】
【００２８】
１  区画用ベルト装置
２  ベルト
３  巻回機構部
４  ケース
５  リール
６  ゼンマイバネ
７  外装筒体
７１  ベルト引出口
８  キャップ
９  キャップ
９５  フック（掛着手段）
１０  被掛止部材
１１  棒状部分
【図１】
0003198594.tif 000003
【図２】
0003198594.tif 000004
【図３】
0003198594.tif 000005